(57)【要約】【課題】この発明は、表示シートを連続する複数の表示シート収納部に装着できる形状とし、現場での表示シートの装着回数を低減し、表示シートの装着作業を簡易にできる防災監視盤を得る。【解決手段】地区窓５が、それぞれ、筐体の扉体２に対して長方形形状に凹設されて、該長方形形状の短辺方向に配列されている。地区窓５のそれぞれは、長さ方向に連設された地区灯表示部６と表示シート収納部８とを有し、配列方向に連続する５つの地区窓５の表示シート収納部８がそれぞれ一続きに形成され、表示シート１２が一続きに形成された５つの表示シート収納部８の群のそれぞれに１枚ずつ装着され、透明シート１４が地区窓５のそれぞれに１枚ずつ装着されている。【選択図】図３
2013206245.tif 000002
【特許請求の範囲】
【請求項１】
地区窓が、それぞれ、筐体の扉体に対して、又は筐体の扉体に設けられた開口部内に配設された操作パネルに対して、長方形形状に凹設されて、該長方形形状の短辺方向に配列されている防災監視盤において、
上記地区窓のそれぞれは、長さ方向に連設された地区灯表示部と表示シート収納部とを有し、
配列方向に連続する複数個ずつの上記地区窓の上記表示シート収納部がそれぞれ一続きに形成され、
表示シートが一続きに形成された複数個の上記表示シート収納部の群のそれぞれに１枚ずつ装着され、
透明シートが上記地区窓のそれぞれに１枚ずつ装着されていることを特徴とする防災監視盤。
【請求項２】
一続きに形成された複数個の上記表示シート収納部は、隣り合う該表示シート収納部間の隔壁の一部を残して、底面を面一に連通され、
上記表示シート収納部間の残された隔壁に嵌合する嵌合溝が上記表示シートに形成されていることを特徴とする請求項１記載の防災監視盤。
【請求項３】
上記地区窓は、上記表示シート収納部の底面が上記地区灯表示部の底面に対して上記表示シートの厚み分深くなっていることを特徴とする請求項１又は請求項２記載の防災監視盤。
【請求項４】
白色ＬＥＤが上記地区灯表示部の地区灯表示窓に相対するように上記筐体内に配設され、
上記地区窓に装着された上記透明シートの上記地区灯表示窓上に位置する部位が、当該地区窓に割り振られた監視区域の設備情報を明示する色となっている請求項１乃至３いずれか１項に記載の防災監視盤。
【発明の詳細な説明】
【技術分野】
【０００１】
この発明は、火災、ガス漏れ、防犯などに関する受信機からなる防災監視盤に関し、特に建物を地区分けし、各地区の状態、例えば火災、ガス漏れ、防犯などを、対応する窓を用いて表示する地区窓構造に関するものである。
【背景技術】
【０００２】
従来の防災監視盤は、筐体本体の前面に配置される表示パネルに長方形をした複数の地区表示部を備え、地区表示部の表示枠を表示パネルに対し凹部状となるように形成し、表示枠内に表示シートを貼り付け自在とし、表示シートを貼り付けた表示枠に透明カバーを着脱自在に取り付けて構成されていた（例えば、特許文献１参照）。
【先行技術文献】
【特許文献】
【０００３】
【特許文献１】特開２００１−１０１５３９号公報
【発明の概要】
【発明が解決しようとする課題】
【０００４】
この種の防災監視盤においては、設置時、監視区域（回線）および監視する設備情報が地区表示部に割り当てられるので、現場にて、割り当てられた監視区域および監視する設備情報を表示シートに印字して地区表示部の表示枠に装着することになる。また、テナントなどの変更に伴い、地区表示部に割り当てられる監視区域および監視する設備情報が変更される度に、変更された監視区域および監視する設備情報を表示シートに印字して表示枠に装着することになる。
【０００５】
従来の防災監視盤では、表示シートが表示パネルに規則的に配列されて複数設けられた地区表示部の表示枠のそれぞれに装着されるようになっているので、表示枠の数だけ表示シートを装着する必要があり、表示シートの装着作業が煩雑となるという課題があった。
【０００６】
この発明は、上記の課題を解決するためになされたものであり、表示シートを連続する複数の表示シート収納部に装着できる形状とし、現場での表示シートの装着回数を低減し、表示シートの装着作業を簡易にできる防災監視盤を得ることを目的とする。
【課題を解決するための手段】
【０００７】
この発明による防災監視盤は、地区窓が、それぞれ、筐体の扉体、又は筐体の扉体に設けられた開口部内に配設された操作パネルに対して長方形形状に凹設されて、該長方形形状の短辺方向に配列されている。上記地区窓のそれぞれは、長さ方向に連設された地区灯表示部と表示シート収納部とを有し、配列方向に連続する複数個ずつの上記地区窓の上記表示シート収納部がそれぞれ一続きに形成され、表示シートが一続きに形成された複数個の上記表示シート収納部の群のそれぞれに１枚ずつ装着され、透明シートが上記地区窓のそれぞれに１枚ずつ装着されている。
【発明の効果】
【０００８】
この発明によれば、表示シートが一続きに形成された複数個の表示シート収納部の群のそれぞれに１枚ずつ装着されるので、現場における表示シートの装着回数が低減され、表示シートの装着作業が簡易となる。
【図面の簡単な説明】
【０００９】
【図１】この発明の一実施の形態に係る防災監視盤の透明カバーおよび表示シートを取り外した状態を示す正面図である。
【図２】この発明の一実施の形態に係る防災監視盤の表示シートを装着した状態を示す正面図である。
【図３】この発明の一実施の形態に係る防災監視盤の透明カバーおよび表示シートを装着した状態を示す正面図である。
【図４】この発明の一実施の形態に係る防災監視盤に適用される表示シートを示す平面図である。
【図５】この発明の一実施の形態に係る防災監視盤に適用される透明シートを示す平面図である。
【図６】図１のＶＩ−ＶＩ矢視断面図である。
【図７】この発明の一実施の形態に係る防災監視盤における透明シートおよび表示シートの装着手順を説明する断面図である。
【発明を実施するための形態】
【００１０】
以下、本発明による防災監視盤の好適な実施の形態につき図面を用いて説明する。
【００１１】
図１はこの発明の一実施の形態に係る防災監視盤の透明カバーおよび表示シートを取り外した状態を示す正面図、図２はこの発明の一実施の形態に係る防災監視盤の表示シートを装着した状態を示す正面図、図３はこの発明の一実施の形態に係る防災監視盤の透明カバーおよび表示シートを装着した状態を示す正面図、図４はこの発明の一実施の形態に係る防災監視盤に適用される表示シートを示す平面図、図５はこの発明の一実施の形態に係る防災監視盤に適用される透明シートを示す平面図、図６は図１のＶＩ−ＶＩ矢視断面図、図７はこの発明の一実施の形態に係る防災監視盤における透明シートおよび表示シートの装着手順を説明する断面図である。
【００１２】
図１乃至図３において、防災監視盤１は、筐体に形成された本体の前面に扉体２が開閉可能に取り付けられて筐体を備え、箱形に形成された筐体の内部に、電気回路部や外部からの信号線（回線）が接続される端子などが実装された回路基板など（図示せず）を収納して構成されている。そして、電源などの状態を表示する表示灯群３、各種の操作を行うための操作部４、および監視区域とその監視区域における監視する設備情報を表示する地区窓５などが扉体２に設けられ、筐体内部で回路基板などと電気的な接続がなされている。
【００１３】
地区窓５は、横長で長方形形状に凹設され、扉体２に、短辺方向を上下方向とし、上下方向に所定のピッチで２０個配列されている。各地区窓５は、図６に示されるように、地区灯表示部６と表示シート収納部８とが長さ方向に連設されて構成されている。地区灯表示窓７が、地区灯表示部６の中央を貫通するように形成されている。表示シート収納部８は、底部（底面）が地区灯表示部６に対して表示シート１２の厚み分低くなるように形成されている。さらに、切り欠き１０が地区窓５の長さ方向の両端部に地区灯表示部６と面一となるように形成されている。
【００１４】
そして、連続する５つの地区窓５の表示シート収納部８が、地区窓５間の表示シート収納部８の長さ方向の両側の隔壁１１を残して、面一に連通されている。つまり、表示シート収納部８が一続きに形成された５つの地区窓５の群が、上下方向に４つ配列されている。
地区灯９には赤色ＬＥＤが用いられ、地区灯表示窓７のそれぞれの真下位置に位置するように筐体内部に配設されている。地区灯９が点灯、点滅することによって監視区域の設備情報を表示する。
表示シート１２は、地区窓５に割り当てられた監視区域名やその監視する設備情報が印字される紙製や合成樹脂製のシートであり、図４に示すように、上下方向に連続して配列された５つの表示シート収納部８に収納される外形形状に形成されている。さらに、嵌合溝１３が、表示シート収納部８間の隔壁１１に嵌合するように表示シート１２に形成されている。
【００１５】
透明シート１４は、合成樹脂製のシートであり、図５に示されるように、地区窓５の外形形状に略等しい横長の長方形に形成され、係止爪１５が透明シート１４の長さ方向の両端から外方に延設されている。遮光部１６が地区灯表示窓７に相対する部位を除いて地区灯表示部６を遮蔽するように透明シート１４の上面に印刷などにより形成されている。透明シート１４には、地区灯表示部６（地区灯表示窓７）に相対する領域が無色透明に形成され、表示シート収納部８に相対する領域が、監視する設備の種別に対応して、無色透明、黄色、橙色、緑色などに色づけされた複数種のシートが用意されている。
【００１６】
ここでは、表示シート収納部８に相対する領域が透明なものは火災報知設備（火災検出）用の回線が設定されていることを明示し、黄色のものは防排煙設備用の回線が設定されていることを明示し、橙色のものはガス設備用の回線が設定されていることを明示し、緑色のものは消火設備用の回線が設定されていることを明示している。なお、黄色、橙色、緑色などに色づけされた透明シート１４は、表示シート１２上の印字を目視できる透明度を有している。
【００１７】
このように構成された防災監視盤１は、例えば建物の管理室に設置される。そして、例えば、第１会議室の火災報知設備の作動報知が上から１番目の地区窓５に割り振られ、第１会議室の消火設備の作動報知が上から２番目の地区窓５に割り振られ、第１会議室の防排煙設備の作動報知が上から３番目の地区窓５に割り振られ、第２会議室の火災報知設備の作動報知が上から４番目の地区窓５に割り振られ、第２会議室のガス漏報知設備の作動報知が上から５番目の地区窓５に割り振られたとする。
【００１８】
そこで、表示シート１２の嵌合溝１３により分けられた上から５つの領域に「第１会議室火災」、「第１会議室・消火設備」、「第１会議室・防排煙」、「第２会議室火災」、「第２会議室・ガス漏れ」の順に印字し、嵌合溝１３を隔壁１１に嵌合させつつ、連続する５つの地区窓５の表示シート収納部８に収納する。
【００１９】
ついで、図７の（ａ）に示されるように、表示シート収納部８に相対する領域が透明な透明シート１４を湾曲させ、係止爪１５を切り欠き１０に差し込んで湾曲を解除する。これにより、透明シート１４が、図７の（ｂ）に示されるように、上から１番目の地区窓５に装着される。ついで、同様にして、表示シート収納部８に相対する領域が緑色の透明シート１４を上から２番目の地区窓５に装着する。ついで、同様にして、表示シート収納部８に相対する領域が黄色の透明シート１４を上から３番目の地区窓５に装着する。ついで、同様にして、表示シート収納部８に相対する領域が透明な透明シート１４を上から４番目の地区窓５に装着する。さらに、同様にして、表示シート収納部８に相対する領域が橙色の透明シート１４を上から５番目の地区窓５に装着する。
【００２０】
さらに、他の監視区域における火災報知設備の作動報知、防排煙の作動報知、ガス漏れ報知設備の作動報知、消火設備の作動報知などが他の地区窓５に割り振られ、同様にして、表示シート１２および透明シート１４を地区窓５に装着する。なお、表示シート１２が全ての地区窓５の表示シート収納部８に装着された状態が図２に示され、表示シート１２および透明シート１４が全ての地区窓５の表示シート収納部８に装着された状態が図３に示されている。そして、各回線が筐体内の回路基板の端子に接続され、防災監視盤１の設置が完了する。
【００２１】
また、テナントなどの変更により地区窓５に割り振られる監視区域名や監視する設備情報が更新されると、透明シート１４を湾曲させて係止爪１５と切り欠き１０との係合を解除し、透明シート１４を取り外す。ついで、既設の表示シート１２を取り外し、割り振られた監視区域名や監視する設備情報が印字された新しい表示シート１２を表示シート収納部８の群に装着する。そして、設備の種別に対応する色の透明シート１４を地区窓５のそれぞれに装着し、更新が完了する。
【００２２】
このように設置された防災監視盤１では、例えば第１会議室に設置された火災報知設備が作動すると、火災発生信号が回線を介して防災監視盤１に送信される。そこで、上から１番目の地区灯９が点灯される。地区灯９から発光された赤色光は、地区灯表示窓７および透明シート１４の地区灯表示部６に相対する領域を透過し、外部に照射される。そこで、管理人が、赤色光が点灯した地区窓５の表示シート１２および透明シート１４を目視し、表示シート１２の印字および透明シート１４の色（無色透明）から第１会議室に火災が発生したことを認識する。
【００２３】
そして、第1会議室の火災に引き続き、第１会議室に設置された防排煙設備が作動すると、防排煙設備の作動信号が回線を介して防災監視盤１に送信される。そこで、上から３番目の地区灯９が点滅される。地区灯９から発光された赤色光は、地区灯表示窓７および透明シート１４の地区灯表示部６に相対する領域を透過し、外部に照射される。そこで、管理人が、赤色光が点滅した地区窓５の表示シート１２および透明シート１４を目視し、表示シート１２の印字および透明シート１４の色（緑色）から第１会議室の防排煙設備の作動したことを認識する。
【００２４】
また、第１会議室に設置された消火設備が作動すると、消火設備の作動信号が回線を介して防災監視盤１に送信される。そこで、上から３番目の地区灯９が点滅される。地区灯９から発光された赤色光は、地区灯表示窓７および透明シート１４の地区灯表示部６に相対する領域を透過し、外部に照射される。そこで、管理人が、赤色光が点滅した地区窓５の表示シート１２および透明シート１４を目視し、表示シート１２の印字および透明シート１４の色（黄色）から第１会議室の消火設備が作動したことを認識する。
【００２５】
この発明によれば、配列方向に連続する５つの地区窓５の表示シート収納部８がそれぞれ一続きに形成され、表示シート１２が一続きの５つの表示シート収納部８の群のぞれぞれに１枚ずつ装着できる大きさに形成されているので、現場における表示シート１２の装着回数が１／５となり、表示シート１２の装着作業が簡易となる。
透明シート１４が地区窓５のそれぞれに１枚ずつ装着されるようになっているので、現場にて地区窓５に割り振られた監視区域における監視する設備情報に適合する色の透明シート１４を当該地区窓５に簡易に装着できる。
【００２６】
一続きの５つの表示シート収納部８が、隣り合う地区窓５間の隔壁１１の表示シート収納部８の長さ方向の両端の部位を残して底面を面一に連通され、一続きの５つの表示シート収納部８に装着される表示シート１２に残された隔壁１１に嵌合する嵌合溝１３を形成している。そこで、表示シート１２をガタツキ無く表示シート収納部８に装着できる。また、表示シート１２が嵌合溝１３により５等分に分けられているので、嵌合溝１３を目安として表示シート１２に印字できる。そこで、地区窓５に対して印字が斜めになったり、上側や下側にずれたりすることがなくなり、見栄えが良くなる。
【００２７】
表示シート収納部８の底面が地区灯表示部６の底面に対して表示シート１２の厚み分低くなるように形成されているので、表示シート収納部８に装着された表示シート１２は地区灯表示部６と面一となる。そこで、透明シート１４を安定した状態で地区窓５に装着することができる。
【００２８】
透明シート１４の長さ方向の両端部に突設された係止爪１５を地区窓５の長さ方向の両端部に形成された切り欠き１０に嵌め込んで、透明シート１４が地区窓５に装着されているので、透明シート１４が地区窓５に強固に支持され、表示シート１２の落下などが防止される。
【００２９】
ここで、上記実施の形態では、連続する５つの地区窓５の表示シート収納部８が一続きに構成されているものとしているが、表示シート収納部８の一続き数は５に限定されず、２以上であればよい。また、表示シート収納部８の一続き数は製品のバリエーションにあわせて設定することが望ましい。つまり、地区窓５が５、１０，１５，２０の製品群であれば、表示シート収納部８の一続き数を５とすれば、一続きの５つの表示シート収納部８に装着できる大きさの表示シート１２は全ての製品群に適用でき、効率的である。
【００３０】
また、上記実施の形態では、地区灯９に赤色ＬＥＤを用いるものとしているが、例えば、地区灯９として白色ＬＥＤを用い、地区灯表示部６に相対する領域が赤色で表示シート収納部８に相対する領域が無色透明な表示シート１２、さらにはそれぞれ黄色、橙色、緑色など、監視する設備の種別に対応して色づけされた透明シート１４を用意し、地区窓５に割り振られた監視地区の監視設備情報に適合する透明シート１４を適宜選択して装着するようにしてもよい。この場合、ＬＥＤの発光色を変えることなく、地区窓５に割り振られた火災報知、防排煙の作動報知、ガス漏れ報知、消火設備の作動報知などに適合する発光色で点灯或いは点滅する新規な防災監視盤を安価に得ることができる。これにより、管理者は、地区灯９の点灯或いは点滅する色により、監視状態情報を瞬時に識別することができる。
【００３１】
また、上記実施の形態では、地区窓５が扉体２に短辺方向に１列に配列されているものとしているが、地区窓５は短辺方向に２列以上に配列されてもよい。
また、上記実施の形態では、隣り合う表示シート収納部８間の長さ方向の中央部の隔壁１１を無くして隣り合う表示シート収納部８間を連通するものとしているが、隣り合う表示シート収納部８間の長さ方向の両端の隔壁１１を無くして隣り合う表示シート収納部８間を連通してもよい。
また、上記の実施の形態では、扉体に表示灯群３、操作部４、及び地区窓５を設けるものとしているが、例えば扉体から独立した開口部内に操作パネルを配設する様にしてもよい。
また、上記の実施の形態では、透明シート１４は図５に示されるように、係止爪１５が段状になるように延設されているが、係止爪１５の厚みを透明シート１４で一定とし、面一となるように形成してもよい。
また、遮光部１６は透明シート１４の上面に印刷などにより形成されているが、透明シート１４の下面に印刷してもよい。
【符号の説明】
【００３２】
２  扉体、５  地区窓、６  地区灯表示部、７  地区灯表示窓、８  表シート収納部、９  地区灯、１１  隔壁、１２  表示シート、１３  嵌合溝、１４  透明シート。
【図１】
2013206245.tif 000003
【図２】
2013206245.tif 000004
【図３】
2013206245.tif 000005
【図４】
2013206245.tif 000006
【図５】
2013206245.tif 000007
【図６】
2013206245.tif 000008
【図７】
2013206245.tif 000009